(57)【要約】【課題】隣接する両レンズの組付性向上を図り、かつ隣接する両レンズ間を見栄え良く遮光する。【解決手段】第１及び第２レンズ１６、１７は、互いに隣接する対向側面１６５、１７５の近傍に、飾り枠１１の裏面側から挿入されるボルト２０により飾り枠１１の表面に共締めされる第１及び第２締結部１６１、１７１をそれぞれ有する。飾り枠１１に、第２レンズ１７に覆われるとともに、その対向側面１７５の内面に接近して、第１及び第２光源が発する光を隣接するレンズ側への漏光を阻止する遮光壁１１１を設ける。  【選択図】  図７
2008237756.tif 000002
【特許請求の範囲】
【請求項１】
遊技機器を収容した筐体の前面に設けられる前扉の表面に、内部に配置される第１光源が発する光を拡散させる第１レンズ及び第１レンズに隣接し、かつ内部に配置される第２光源が発する光を拡散させる第２レンズを設けた遊技機において、
前記第１及び第２レンズは、互いに隣接する対向側面の近傍に、前記前扉の裏面側から挿入されるボルトにより前記前扉の表面に共締めされる第１及び第２締結部をそれぞれ有し、
前記前扉に、前記第１レンズ又は前記第２レンズのいずれか一方に覆われるとともに、前記いずれか一方のレンズの対向側面の内面に接近して、前記第１及び第２光源が発する光を隣接するレンズ側への漏光を阻止する遮光壁を設けたことを特徴とする遊技機。
【請求項２】
前記遮光壁に、前記第１又は第２レンズ側へ向けて突出し、前記第１及び第２レンズの対向側面に設けた切欠部が係合することにより、前記第１及び第２レンズを定位置に位置決め可能な突部を設けたことを特徴とする請求項１記載の遊技機。
【発明の詳細な説明】
【技術分野】
【０００１】
本発明は、遊技機表面に光源の光を拡散させるレンズを備えた遊技機に関する。
【背景技術】
【０００２】
遊技機としてのスロットマシンにおいては、遊技機器を収容した筐体の前面に、内部に設けた光源が発する光を屈折、拡散して様々な方向から確認できるようにした合成樹脂製のレンズを設け、遊技状況に応じて、光源を点滅、点灯することによって、遊技者に対して視覚的な刺激を与えて遊技の興趣を高めるようにしている（例えば、特許文献１参照）。
【特許文献１】特開２００６−３２６１９６号公報
【発明の開示】
【発明が解決しようとする課題】
【０００３】
上述のような遊技機においては、互いに異なる形態で発光する光源の光を拡散するためのレンズを隣接して設ける場合には、光源の光が隣のレンズ側へ漏れないようにするため、隣接し合うレンズ同士の境界部分に遮光板を介在する必要がある。しかし、この場合、遮光板が両レンズ間の境界部分に露出し、見栄えが悪くなる。また、両レンズを遊技機の前面に個々に取り付けるため、両レンズの組付け作業性が悪い。
【０００４】
本発明は、従来の問題に鑑みてなされたもので、隣接する両レンズの組付性向上を図り、かつ隣接する両レンズ間を見栄え良く遮光することができるようにした遊技機を提供することを目的とする。
【課題を解決するための手段】
【０００５】
本発明によると、上記課題は、次のようにして解決される。
（１）遊技機器を収容した筐体の前面に設けられる前扉の表面に、内部に配置される第１光源が発する光を拡散させる第１レンズ及び第１レンズに隣接し、かつ内部に配置される第２光源が発する光を拡散させる第２レンズを設けた遊技機において、前記第１及び第２レンズは、互いに隣接する対向側面の近傍に、前記前扉の裏面側から挿入されるボルトにより前記前扉の表面に共締めされる第１及び第２締結部をそれぞれ有し、前記前扉に、前記第１レンズ又は前記第２レンズのいずれか一方に覆われるとともに、前記いずれか一方のレンズの対向側面の内面に接近して、前記第１及び第２光源が発する光を隣接するレンズ側への漏光を阻止する遮光壁を設ける。
【０００６】
（２）上記(１)項において、前記遮光壁に、前記第１又は第２レンズ側へ向けて突出し、前記第１及び第２レンズの対向側面に設けた切欠部が係合することにより、前記第１及び第２レンズを定位置に位置決め可能な突部を設ける。
【発明の効果】
【０００７】
本発明によれば、次のような効果が奏せられる。
請求項１記載の発明によると、両レンズを前扉に共締めできるため、両レンズの取付け作業の効率化を図ることができる。また、互いに隣接する対向側面同士の近傍を共締めすることにより、両レンズを前扉に確実に固定することができる。さらには、遮蔽壁がレンズに覆われて前扉の表面に露出しないため、両レンズ間の境界部分が目立たなくなり、見栄え良く両レンズ間を遮光することができる。
【０００８】
請求項２記載の発明によると、両レンズの位置決めが可能となり、両レンズの組付け作業を容易に行うことができるとともに、両レンズの取付けを強固にすることができる。
【発明を実施するための最良の形態】
【０００９】
図１は、本発明を適用した遊技機の斜視図、図２は、装飾ユニットの正面図、図３は、レンズを外した状態の装飾ユニットの正面図、図４は、装飾ユニットの分解斜視図、図５は、装飾ユニットの要部の拡大分解斜視図である。なお、以下の説明においては、図１における左斜め下方を「前方」とし、右斜め上方を「後方」とする。
【００１０】
遊技機（スロットマシン）１は、外周面に複数種類の図柄が描かれた左、中、右３個の回転リール５及びその他の各種遊技機器を収容した筐体２と、筐体２の前面に開閉可能に設けられた合成樹脂製の前扉３を備え、遊技媒体をなす円板状のメダル（コインも含む）を、前扉３の右側に設けたメダル投入部４に投入することによって所定のゲームが行われるものである。
【００１１】
遊技機１の遊技は、遊技者がメダルをメダル投入部４に投入するか、または、前扉３の前面に設けられたベットボタン６により予め投入したメダル枚数を電気的に記憶されたクレジット状態のメダルの賭数を設定した後、スタートレバー７を操作して、全ての回転リール５を回転させることによって開始される。
【００１２】
回転リール５が回転して所定時間が経過した後、前扉３の前面に設けられた３個のストップボタン８を順次操作して、各回転リール５の回転を停止させ、停止した３個の回転リール５の図柄の組み合わせにより、入賞の有無、及び賞の大小に応じたメダルの配当枚数が確定され、入賞した場合には、予め定めた入賞枚数のメダルが前扉３の下部に設けたメダル受皿３１に払い出される。
【００１３】
前扉３における前面のほぼ中央には、各回転リール５の図柄を３こまずつ視認可能な透視窓９が設けられ、また、同じく上部には、装飾ユニット１０が設けられている。
【００１４】
装飾ユニット１０は、前扉３の前面上部に固定される前扉３の一部を形成する合成樹脂製の飾り枠１１と、飾り枠１１の内側に嵌め込み固定される透明合成樹脂製のフロントパネル１１ａと、飾り枠１１の上部に設けられ、遊技者に対して視覚的な刺激を与えて遊技の興趣を高めるようにするセンター発光装置１２と、センター発光装置１２の左右両側に隣接して配置される左右のサイド発光装置１３、１３を備えている。
【００１５】
飾り枠１１における上部の左右、すなわちセンター発光装置１２とサイド発光装置１３との境界部分には、前方へ突出する遮光壁１１１、１１１が一体的に設けられている。左右の遮光壁１１１の内側の側面には、内方へ突出する突部１１２が設けられている。また、左右の遮光壁１１１の近傍には、ボルト２０が後方から挿入されるボルト挿入孔１１３が設けられている。ボルト挿入孔１１３は、正面視において後述のセンターレンズ１６の内側に位置するところに設けられる。
【００１６】
センター発光装置１２は、ＬＥＤ等の単一色の光源１４と、飾り枠１１の前面中央に固定され、内部に配置される光源１４が発する光を屈折、拡散して様々な方向から光を確認できるようにした第１レンズをなす合成樹脂製のセンターレンズ１６を含む。
【００１７】
センターレンズ１６は、後部が開口する縦断面がほぼコ字型をなすとともに、その左右両側部の対向側面１６５の内側近傍には、第１締結部をなす後向のボス部１６１が設けられている。左右のボス部１６１は、その後端が左右のボルト挿入孔１１３に対向するとともに、その内部には、ボルト２０が螺合可能なねじ孔１６２が設けられている。
【００１８】
センターレンズ１６の上縁及び下縁には、飾り枠１１の上部前面に開口された複数の係止孔１１４に係合することにより、センターレンズ１６を飾り枠１１の前面に係止するための後方へ突出する複数の係止爪１６３が設けられ、また、同じく、左右の対向側面１６５には、遮光壁１１１の突部１１２に前方から係合可能な切欠部１６４が設けられている。切欠部１６４は、突部１１２に係合することにより、センターレンズ１６を飾り枠１１に取り付ける際のセンターレンズ１６の位置決めを行なうとともに、取付後の支持を確実なものとする作用を有する。
【００１９】
サイド発光装置１３は、ＬＥＤ等のフルカラーの光源１５と、飾り枠１１の表面に固定され、内部に配置される光源１５が発する光を屈折、拡散して様々な方向から光を確認できるようにした第２レンズをなす合成樹脂製のサイドレンズ１７とを含む。
【００２０】
サイドレンズ１７は、縦断面が後方が開口したコ字型をなすとともに、その内側面、すなわちセンターレンズ１６の対向側面１６５に対向する対向側面１７５の外側近傍には、センターレンズ１６のボス部１６１の後端面に合致し、かつボルト２０が挿通可能な取付孔１７２が設けられた第２締結部をなす取付片１７１が設けられている。取付片１７１は、ボス部１６１の後端と飾り枠１１の前面との間に挟み込まれた状態で、ボルト２０をボス部１６１のねじ孔１６２に螺合することによって、ボス部１６１と共に飾り枠１１に前面に固定される。
【００２１】
サイドレンズ１７の上縁及び下縁には、飾り枠１１の上部前面に開口された複数の係止孔１１５に係合することにより、サイドレンズ１７を飾り枠１１の前面に係止するための後方へ突出する複数の係止爪１７３が設けられ、また、同じく、対向側面１７５には、遮光壁１１１の突部１１２に前方から係合可能な切欠部１７４が設けられている。切欠部１７４は、突部１１２に係合することにより、サイドレンズ１７を飾り枠１１に取り付ける際のサイドレンズ１６の位置決めを行なうとともに、取付後の支持を確実なものとする作用を有する。なお、サイドレンズ１７を飾り枠１１の前面に固定した状態において、遮光壁１１１は、対向側面１７５の内側に対向し、かつサイドレンズ１７により覆われて、前扉３の表面に露出することはない。
【００２２】
次に、センターレンズ１６及びサイドレンズ１７の飾り枠１１への組付け要領について説明する。先ず、光源１４、１５を飾り枠１１の所定位置に取り付けた後、サイドレンズ１７を、その係止爪１７３を飾り枠１１の係止孔１１５、また切欠部１７４を突部１１２にそれぞれ係合して、取付片１７１の取付孔１７２を飾り枠１１のボルト挿入孔１１３に合わせた状態で仮組み固定する。次いで、センターレンズ１６を、その係止爪１６３を飾り枠１１の係止孔１１４、また切欠部１７４を突部１１２にそれぞれ係合するとともに、ボス部１６１の後端をサイドレンズ１７の取付片１７１の前面に押し当てる。この状態で、後方からボルト２０をボルト挿入孔１１３及びサイドレンズ１７の取付孔１７２に挿入して、ボス部１６１のねじ孔１６２に螺合することによって、センターレンズ１６のボス部１６１及びサイドレンズ１７の取付片１７１は、飾り枠１１の前面に共締め固定される。
【００２３】
センターレンズ１６及びサイドレンズ１７を飾り枠１１に取り付けた状態においては、飾り枠１１に設けた遮光壁１１１がサイドレンズ１７の対向側面１７５の内側に沿った形態でサイドレンズ１７に覆われる。これにより、遮光壁１１１は、前扉３の表面に露出することなく、センターレンズ１６を照明する光源１４の光がサイドレンズ１７側、また、サイドレンズ１７を照明する光源１５の光がセンターレンズ１６側へそれぞれ漏光することを阻止することができる。
【００２４】
上述のように、本実施形態においては、単一のボルト２０をもって、センターレンズ１６及びサイドレンズ１７の両方を同時に締結することができるため、部品数を削減して、組付け作業の効率化を図ることができる。また、互いに隣接する両レンズ１６、１７の対向側面１６５、１７５同士の近傍を締結するため、サイドレンズ１７の取付片１７２を短く形成することができ、両レンズ１６、１７を飾り枠１１に確実に固定することができる。さらには、遮光壁１１１が前扉３の表面に露出しないため、両レンズ１６、１７間を見栄え良く遮光することができるとともに、センターレンズ１６の対向側面１６５とサイドレンズ１７の対向側面１７５同士が密着した状態で、センターレンズ１６及びサイドレンズ１７を配置することができ、両レンズ１６、１７を一体的なもののように配置することができる。
【００２５】
以上、本発明の実施形態について説明したが、本発明の要旨を逸脱しない範囲内で、本実施形態に対して、次のような種々の変形や変更を施すことが可能である。（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）ボルト１０が螺合するねじ孔１６２を有するボス部１６１をサイドレンズ１７に設け、取付片１７１をセンターレンズ１６に設ける。
（iii）遮光壁１１１を、センターレンズ１６により覆うとともに、その対向側面１６５の内面に沿わせる。
（iv）遮光壁１１１を前扉３に形成し、また、センターレンズ１６及びサイドレンズ１７を前扉３に直接取り付ける。
【図面の簡単な説明】
【００２６】
【図１】本発明を適用した遊技機の斜視図である。
【図２】装飾ユニットの正面図である。
【図３】レンズを外した状態の装飾ユニットの正面図である。
【図４】装飾ユニットの分解斜視図である。
【図５】装飾ユニットの要部の拡大分解斜視図である。
【図６】後方から見たセンターレンズ及びサイドレンズの斜視図である。
【図７】図２におけるVII−VII線に沿う拡大横断面図である。
【図８】図２におけるVIII−VIII線に沿う拡大縦断面図である。
【符号の説明】
【００２７】
１  遊技機（スロットマシン）
２  筐体
３  前扉
４  メダル投入部
５  回転リール
６  ベットボタン
７  スタートレバー
８  ストップボタン
９  透視窓
１０  装飾ユニット
１１  飾り枠
１１ａ  フロントパネル
１２  センター発光装置
１３  サイド発光装置
１４、１５  光源
１６  センターレンズ（第１レンズ）
１７  サイドレンズ（第２レンズ）
２０  ボルト
３１  メダル受皿
１１１  遮光壁
１１２  突部
１１３  ボルト挿入孔
１１４、１１５  係止孔
１６１  ボス部（第１締結部）
１６２  ねじ孔
１６３  係止爪
１６４  切欠部
１６５  対向側面
１７１  取付片（第２締結部）
１７２  取付孔
１７３  係止爪
１７４  切欠部
１７５  対向側面
【図１】
2008237756.tif 000003
【図２】
2008237756.tif 000004
【図３】
2008237756.tif 000005
【図４】
2008237756.tif 000006
【図５】
2008237756.tif 000007
【図６】
2008237756.tif 000008
【図７】
2008237756.tif 000009
【図８】
2008237756.tif 000010